(57)【特許請求の範囲】
【請求項１】
画面に文字及び数字等の記号を表示する測量機の表示装置において、
前記記号が多数個準備されかつこの多数個の記号が所定の約束に従って複数個の画面に振り分けられたスクロール画面であってしかも各振り分けられた画面上に表示される複数個の記号が所定の約束に従って複数個の記号のかたまりからなる複数個の記号組に分割されて構成された複数個のスクロール画面をスクロールするスクロールキーと、
該スクロールキーによりスクロール画面に表示された記号組の個数に対応させて配置されかつ操作に応じて指定された記号組を選択する選択キーと、
選択された記号組の中に含まれる記号の個数に対応させて配置されかつ操作によりその記号組の中に含まれる１個の記号を指定して前記画面に表示させる入力キーとを有し、前記選択キーの近傍に前記各記号組がそれぞれ対応して表示されている測量機の表示装置。
【請求項２】
前記選択キーが前記入力キーを兼用し、前記選択キーで記号組を選択すると前記記号組を構成する記号がそれぞれ前記選択キーに割り当てられ、前記選択キーに対応する記号を選択すると前記対応する記号が前記画面に表示される請求項１に記載の測量機の表示装置。
【請求項３】
前記各記号組に含まれる記号の個数が前記選択キーの個数と同数個である請求項２に記載の測量機の表示装置。
【請求項４】
前記スクロールキーが測距キー又は測角キーと共用されている請求項１ないし請求項３のいずれか１項に記載の測量機の表示装置。
【発明の詳細な説明】
【０００１】
【産業上の利用分野】
本発明は、画面に文字及び数字等の記号を表示する測量機の表示装置の改良に関する。
【０００２】
【従来の技術】
測量機、例えば経緯儀は、近時、角度の読取りを電気的に行う電子式経緯儀と光波距離計とを一体化したトータルステーションが主流となりつつある。このようなトータルステーションでは、接眼レンズを覗いて光学的に水平角及び高度角を読み取る必要はなくなり、電気光学的に測定された水平角及び高度角が本体に設置の表示装置に表示されるようになっている。
【０００３】
また、測距測角値の処理及び表示等のためのマイクロコンピュータを内蔵しているので、測量データに基づき測定点間の距離、高さの計算、既知点、与点の記憶及び設定がある程度本体側で処理できるようにされ、本体側ではこのような処理を行うために、数字、文字等の記号を入力できるようになっている。
【０００４】
図１はこの種の従来の測量機の表示装置の一例を示すもので、測量機本体１に表示装置２を設け、この表示装置２の画面３にファンクションキー４を操作することにより数字、アルファベット等の記号５を表示させ、上下左右の矢印キー６を操作して所望の文字を選択し、入力キーにより文字を入力することとしたものである。
【０００５】
【発明が解決しようとする課題】
しかしながら、画面３上に全ての記号５を表示するのには限度があり、画面３の大きさを一定とすると表示する記号５の大きさを小さくせざるを得ず、逆に記号５を見やすい大きにしたままとすると、画面３を大きくせざるを得ないという問題点がある。また、各記号５に対応させてキーを設ける構成とするとキーの個数が増大し、必要以上にキーの設置スペースを確保しなければならず、表示装置２が大型となり、小型化を図り難いという問題点がある。
【０００６】
本発明は、上記の事情に鑑みて為されたもので、画面をむやみに大きくしなくともかつキーの個数を必要以上に増加させなくとも記号を選択できるようにした測量機の表示装置を提供することにある。
【０００７】
【課題を解決するための手段】
本発明に係わる測量機の表示装置は、画面に文字及び数字等の記号を表示する測量機の表示装置において、
前記記号が多数個準備されかつこの多数個の記号が所定の約束に従って複数個の画面に振り分けられたスクロール画面であってしかも各振り分けられた画面上に表示される複数個の記号が所定の約束に従って複数個の記号のかたまりからなる複数個の記号組に分割されて構成された複数個のスクロール画面をスクロールするスクロールキーと、
該スクロールキーによりスクロール画面に表示された記号組の個数に対応させて配置されかつ操作に応じて指定された記号組を選択する選択キーと、
選択された記号組の中に含まれる記号の個数に対応させて配置されかつ操作によりその記号組の中に含まれる１個の記号を指定して前記画面に表示させる入力キーとを有し、前記選択キーの近傍に前記各記号組がそれぞれ対応して表示されていることを特徴とする。
【０００８】
【作用】
本発明によれば、スクロールキーを操作すると、所望のスクロール画面が表示される。選択キーを操作すると、スクロールキーによりスクロール画面に表示された複数個の記号の組のうち、操作により指定された記号の組が選択される。そして、入力キーを操作すると選択された記号の組の中に含まれている１個の記号が指定されて画面に表示される。
【０００９】
【実施例】
図２は測量機の外観図を示し、この図２において、１０は架台、１１は托架、１２は望遠鏡部、１３は表示装置、１４は対物レンズである。表示装置１３は図３に示すように画面１５と座標測定キー１６と測距キー１７と角度キー（測角キー）１８とメニューキー１９とエスケープキー２０とパワーキー２１とファンクションキー２２ないし２５とを有する。座標測定キー１６を測定すると図示を略すコンピュータにより測量機は座標測定モードとなる。測距キー１７を操作すると測量機は距離測定モードとなる。角度キー１８を押すと測量機は角度測定モードとなる。メニューキー１９を操作すると、メニューモードと通常モード（後述する）とが切り替えられる。エスケープキー２０を押すと、メニューモード内で前の階層の画面に戻る。また、最も浅い階層の画面の時には設定されたモードから開放される。パワーキー２１を操作すると電源がオン又はオフされる。ファンクションキー２２〜２５の機能についは後述する。
【００１０】
図４はメニューキー１９の操作の一例を示すもので、メニューキー１９を操作すると、画面１５が通常モードの画面からメニュー画面２６に切り替えられる。このメニュー画面２６において、ファンクションキー（Ｆ１）２２を操作すると応用測定のメニュー画面２７になる。ファンクションキー（Ｆ２）２３を操作すると照明のメニュー画面２８となる。ファンクションキー（Ｆ３）２４を操作すると条件設定のメニュー画面２９となる。ファンクションキー（Ｆ４）２５を操作すると２枚目のコントラスト調整のメニュー画面３０となる。このメニュー画面３０においてファンクションキー（Ｆ１）２２を操作するとコントラストレベル設定のメニュー画面３１になる。
【００１１】
今、図５に示すように、画面１５にメニュー画面２７が表示されているものとする。この状態で、ファンクションキー（Ｆ１）２２を操作すると１枚目の測設のメニュー画面３２となる。このメニュー画面３２において、ファンクションキー（Ｆ１）２２を操作すると機械点座標設定画面３３となる。また、ファンクションキー（Ｆ２）２３を操作すると方向角設定画面３４となる。ファンクションキー（Ｆ３）２４を操作すると測設の実行画面３５となる。ファンクションキー（Ｆ４）２５を操作すると２枚目の測設のメニュー画面３６となる。このメニュー画面３６において、ファンクションキー（Ｆ１）２２を操作すると新設点設置画面３７となる。ファンクションキー（Ｆ２）２３を操作すると座標データ管理画面３８となる。
【００１２】
画面３３−３５、３７は最下層の画面であり、ファンクションキー（Ｆ１）２２を押すと、文字（アルファベット、句点、特殊文字、カタカナ、ひらがな、漢字）又は数字等の記号が表示される。この記号は多数個準備され、画面１５の最下段にファンクションキー２２ないし２５に対応させて表示される。
【００１３】
例えば、図６に示すように、機械点座標設定画面３３が選択されて画面１５に表示されているものとして、ファンクションキー（Ｆ１）２２を押すと、画面３３に多数の記号３９が表示されて、文字入力画面となる。この多数個の記号３９は所定の約束に従って複数個の画面３３、３３´、３３´´に振り分けられる。しかも各振り分けられた画面上に表示される複数個の記号３９は所定の約束に従って複数個の記号のかたまりからなる複数個の記号組４１、４２、４３、４４に分割される。ここでは、記号３９は４個づつで一塊とされ、４個の記号の組により１つのスクロール画面３３、３３´、３３´´が形成されている。このスクロール画面３３、３３´、３３´´はスクロールキーとして機能する測距キー１７、角度キー１８により切り替えられる。測距キ１７ーは矢印４５方向に画面をロールアップし、角度キー１７は矢印４６方向に画面をロールダウンする。例えば、スクロール画面３３´が選択されたものとして、ファンクションキー（Ｆ１）２２を操作すると、ファンクションキー（Ｆ１）２２に対応して表示された記号の組４１が選択され、この記号の組４１に含まれていた記号３９を構成する「ＡＢＣＤ」の各文字が各ファンクションキー（Ｆ１）２２ないし（Ｆ４）２５に１個ずつ割り当てられる。
【００１４】
すなわち、測量機は、スクロールキーによりスクロール画面３３、３３´、３３´´に表示された複数個の記号の組４１〜４４が表示されている状態で、所定の選択キーを操作するとその操作された選択キーに対応する記号の組を構成する各記号をそれぞれ各選択キーに対応させて振り分ける振り分け手段を有することになる。そして、この各ファンクションキー（Ｆ１）２２ないし（Ｆ４）２５に割り当てられた画面で、ファンクションキーを操作すると、その操作されたファンクションキーに対応する文字が入力されて画面に表示される。例えば、ファンクションキー２５を操作すると画面３３に文字Ｔが表示され、これと同時にその選択されているスクロール画面３３´に戻る。すなわち、複数個の記号の組４１〜４４がファンクションキー（Ｆ１）２２ないし（Ｆ４）２５に対応して表示された画面状態となる。
【００１５】
この実施例では、ファンクションキーが入力キーに兼用されているが、入力キーとファンクションキーとを別々の構成としてもよい。なお、座標測定キー１６と測距キー１７とメニューキー１９とは文字入力画面において、カーソルキーとしての役割を果たし、座標測定キー１６を操作するとカーソルが矢印４７方向に移動し、メニューキー１９を操作するとカーソルが矢印４８方向に移動する。
【００１６】
なお、スクロール画面はスクロールキーに限るものではなく、ダイヤルを設け、ダイヤルの回転操作によりスクロールするようにしてもよい。また、他の手段によってもよい。
【００１７】
【効果】
本発明に係わる測量機の表示装置は、以上説明したように構成したので、画面をむやみに大きくしなくともかつキーの個数を必要以上に増加させなくとも記号を選択できる。
【図面の簡単な説明】
【図１】従来の測量機の表示装置の正面図である。
【図２】本発明に係わる測量機の外観図である。
【図３】本発明に係わる表示装置の正面図である。
【図４】本発明に係わる表示装置の画面に表示されているメニュー画面の説明図である。
【図５】本発明に係わる表示装置の文字入力画面の説明図である。
【図６】本発明に係わる表示装置の文字の入力の一例を説明するための図である。
【符号の説明】
１７…測距キー（スクロールキー）
１８…角度キー（スクロールキー）
２２〜２５…ファンクションキー（選択キー）
３３、３３´、３３´´…スクロール画面
３９…記号
４１〜４４…記号の組
【図１】
0003582538.tif 000002
【図２】
0003582538.tif 000003
【図３】
0003582538.tif 000004
【図４】
0003582538.tif 000005
【図５】
0003582538.tif 000006
【図６】
0003582538.tif 000007